(57)【特許請求の範囲】
【請求項１】
開口部の竪枠に取付けられた錠受けと、前記開口部を閉じる扉の縦框に取付けられたハウジングと、前記ハウジングに収納され回動して前記錠受けに掛止されるフック部が形成されたアームと、を備えたロック装置において、
同一形状に加工され、前記ハウジングへ回動可能に軸支され前記アームの基部を両側から保持する保持部材と、前記縦框の一方面から挿通され、前記保持部材及び前記アームの基部へ挿入係止され一体となって回転する操作ノブと、前記縦框の他方面から挿入され、前記操作ノブと係合する解除ボタンと、前記ハウジングの内壁に前記フック部の回動軌跡に沿って形成され、該フック部を両側から摺動可能に挟持し前記アームの板厚方向への振れを抑えるガイド壁を有することを特徴とするロック装置。
【請求項２】
開口部の竪枠に取付けられた錠受けと、前記開口部を閉じる扉の縦框に取付けられたハウジングと、前記ハウジングに収納され回動して前記錠受けに掛止されるフック部が形成されたアームと、を備えたロック装置において、
同一形状に加工され、前記ハウジングへ回動可能に軸支され前記アームの基部を両側から保持する保持部材と、前記縦框の一方面から挿通され、前記保持部材及び前記アームの基部へ挿入係止され一体となって回転する操作ノブと、前記縦框の他方面から挿入され、前記操作ノブと係合する解除ボタンと、前記アームの略中央部を切込みに沿って折り曲げて前記ハウジングの内側に向かって突設させた突片と、前記ハウジングの内壁に形成され該ハウジングの内側へ弾性変形可能に突出し、前記アームのフック部が前記錠受けに掛止され或いはアームがハウジング内へ収納されたとき弾性復帰して前記突片を係止する係止手段と、を有することを特徴とするロック装置。
【発明の詳細な説明】
【０００１】
【発明の属する技術分野】
本発明は、扉を閉止状態でロックするロック装置に関する。
【０００２】
【従来の技術】
図８に示すように、一般に扉１３０のロック装置１３２は、竪枠１３４と扉１３０の縦框１３６との当接面に設けられる（実公昭３８−９７９８号公報参照）。竪枠１３４には、凹部１３８が形成され、この凹部１３８に錠受け１４０を備えた受け金具１４２が嵌め込まれねじで固定されている。
【０００３】
一方、縦框１３６には、扉１３０が閉止したとき、受け金具１４２と対応する位置に貫通口１４４が形成され、この貫通口１４４へ枠状のケース１４６が嵌め込まれねじで固定されている。このケース１４６には、掛金具１４８がピン１５０で回動可能に支持されており、レバー１５４を下方へ押し下げることによって、フック部１５２が錠受け１４０に掛止されるようになっている。
【０００４】
ところで、このロック装置１３２では、掛金具１４８がピン１５０の軸方向へ移動しないように、また、レバー１５４が不用意に下方へ動かないように、板ばね１５６で掛金具１４８をケース１４６側へ押し付けている。
【０００５】
しかし、長期の使用によって、板ばね１５６の付勢力が低下し或いは掛金具１４８との摩耗によって、扉１３０の開閉時の振動で掛金具１４８がガタ付く恐れがある。また、フック部１５２が縦框１３６から突出する構造なので、扉１３０を開いた状態で、誤ってレバー１５４を操作すると、衣服等を引っ掛けることがある。
【０００６】
さらに、板ばね１５６で掛金具１４８を単に付勢しているだけなので、レバー１５４を操作するときにクリック感がなく、扉１３０がロック或いはロック解除されたか否かの感触を得にくい。また、掛金具１４８は、ピン１５０に軸支されているだけなので、掛金具１４８の板厚方向の振れが生じ、フック部１５２が錠受け１４０へスムーズに掛止されないことがある。
【０００７】
【発明が解決しようとする課題】
本発明は上記事実を考慮し、掛金具がガタ付くことなく、また、扉のロック或いはロック解除の確認が容易で、さらに、フック部に衣服等を引っ掛けることがないロック装置を提供することを課題とする。
【０００８】
【課題を解決するための手段】
請求項１に記載の発明では、開口部の竪枠に錠受けが取付けられている。この錠受けには、扉の縦框に取付けられたハウジングに回動可能に収納されたアームのフック部が掛止されるようになっている。
【０００９】
このアームの基部は、ハウジングへ回動可能に軸支された保持部材によって、両側から保持されている。そして、縦框の一方面から挿通され、保持部材及びアームの基部へ挿入係止される操作ノブと、縦框の他方面から挿通され操作ノブと係合する解除ボタンとによって、アーム及び保持部材が一体となって回動可能に縦框に取付けられる。
【００１０】
このような構成によって、縦框の一方面、すなわち、扉の内側から操作ノブを回すと、保持部材と共にアームが回動して、フック部がハウジングから突出し、錠受けに掛止される。また、操作ノブを反対方向へ回すと、保持部材と共にアームが回動して、フック部が錠受けから離れハウジング内へ収納される。このように、操作ノブを操作することによって、扉を内側からロック或いはロック解除できる。
【００１１】
一方、緊急時には（扉の内側で事故が発生した場合等）、縦框の他方面、すなわち、扉の外側から解除ボタンを回すと、操作ノブが回動し、換言すれば、保持部材と共にアームが回動して、フック部が錠受けから離れハウジング内へ収納され、扉のロックが外側から解除される。
【００１２】
また、アームの基部は、両側から保持部材で保持され操作ノブと一体となっているので、回転軸の軸線方向へ振れることがなく、ロック時の強度も確保される。さらに、保持部材を同一形状とすることによって、すなわち、部品の共通化を図ることにより、部品点数の削減を図ることができ、組付けも容易となる。
【００１４】
また、ガイド壁がフック部の回動軌跡に沿ってハウジングの内壁に形成されている。このガイド壁で、アームのフック部が両側から摺動可能に挟持されアームの板厚方向の振れが抑えられる。このため、フック部が錠受けへスムーズに掛止される。
【００１５】
このため、操作ノブを回して扉のロック位置にアームを回動させると、突片が係止手段を押圧して弾性変形させ、係止手段を通過すると、係止手段が弾性復帰して突片を係止する。この一連の動作によって、操作ノブにクリック感が生じるので、扉のロック及び扉のロック解除の確認が可能となる。
【００１６】
また、アームのフック部が錠受けに掛止された状態において、突片が係止手段に係止されているので、扉が振動しても、ロック状態が解除されるということがない。さらに、レバーをハウジングに収納した状態においても、突片が係止手段に係止されているので、フック部がハウジングから不用意に突出するということがない。
【００１７】
請求項２に記載の発明では、アームの略中央部が切込みに沿って折り曲げられハウジングの内側に向かって突片が突設されている。また、係止手段が、ハウジングの内側へ弾性変形可能に突出しており、突片を係止するようになっている。
【００１９】
【発明の実施の形態】
図１及び図２に示すように、本形態に係るロック装置１１は、引き戸１０の縦框１２と、この引き戸１０によって閉止される開口部の竪枠１４との当接面に設けられている。
【００２０】
縦框１２は中空の枠体で、竪枠１４と対向する側壁１６には図４に示す長方形状の取付口１８が形成されている。この取付口１８には、箱状のケース２０と、このケース２０の開口面を覆うカバー２２を組み付けることによって構成されるハウジング２４が装填される。
【００２１】
図３及び図６に示すように、ケース２０の側板２６の両端からは、フランジ２８が張り出しており、このフランジ２８を挟みナット３０を介して側壁１６へねじ止めすることによって、ハウジング２４が縦框１２の中に固定される。
【００２２】
また、ケース２０の側板２６には、長状のスリット口３２が形成されており、このスリット口３２から後述するアーム３４が出没するようになっている。なお、縦框１２の取付口１８の両側に溝壁３６が延設され（図１参照）、ほぞを構成している。このほぞは、竪枠１４に立設された溝壁３７によって構成されるほぞへ入り込むようになっている。このように、ほぞを形成することで、アーム３４のフック部３８が縦框１２から露出しない。
【００２３】
一方、図３に示すように、ケース２０の底板４０には、軸孔４２が穿設されている。この軸孔４２には、スペーサー４４のボス部４６が回転可能に挿入される。ボス部４６の端部には、外方へ拡径する鍔部４８が形成され、この鍔部４８でアーム３４の基部５０の下面を保持するようになっている。この基部５０の側面からは、連結片５２が張り出しており、この連結片５２には、１対の貫通孔５４が形成されている。
【００２４】
また、鍔部４８からは止め片５６が張り出している。この止め片５６には、係止孔５８が穿設され、この係止孔５８と並んでボス部４６と反対側にピン６０が突設されている。
【００２５】
一方、アーム３４の基部５０の上面には、天地を逆さにしてスペーサー４４が配設され、ボス部４６がカバー２２に穿設された軸孔６２へ回転可能に挿入されるようになっている。
【００２６】
このような構成によって、スペーサー４４でアーム３４の基部５０を両側から挟み、互いにピン６０を貫通孔５４へ挿通し係止孔５８へ挿入することによって、鍔部４８が基部５０の両面を挟持した状態で固定される。このスペーサー４４のボス部４６は、ケース２０の軸孔４２とカバー２２の軸孔６２にそれぞれ軸支されており、スペーサー４４はアーム３４と一体となって回動する。
【００２７】
また、スペーサー４４の芯部には、長円状の長孔６４が、アーム３４の基部５０には、長孔６４と同一形状の長孔６６が形成されており、後述する操作ノブ６８の胴部７０が挿通され、スペーサー４４、アーム３４、及び操作ノブ６８が一体に回動するようになっている。
【００２８】
一方、アーム３４の先端部には、フック部３８が形成されている。このフック部３８は、アーム３４が回動したとき、スリット口３２から突出し、開口部の竪枠１４にねじ止めされた錠受け７２（図１参照）に掛止されるようになっている。
【００２９】
また、アーム３４の略中央部は切込みに沿って折曲げられ、ケース２０の底板４０側へ延出する突片７４が形成されている。この突片７４は、アーム３４がスリット口３２から突出する位置で、スリット口３２の近傍に設けられた爪部７６へ、また、ハウジング２４に収納された位置で、奥方に設けられた爪部７８に係止されるようになっている。
【００３０】
爪部７６は、底板４０を略コ字状に切込んでスリット口３２と平行に張り出す片持ち状の爪片８０の先端に突設されている。この爪部７６には、頂部から爪片８０の基端側へ傾斜するテーパー面７６Ａと、頂部から爪片８０の自由端側へ傾斜するテーパー面７６Ｂが形成されており、突片７４がどちら側からも爪部７６に乗り上げることができるようになっている。なお、テーパー面７６Ａは、円軌道を描く突片７４が面接するように、爪片８０の軸線に対して傾斜している。
【００３１】
また、爪部７８は、底板４０を略コ字状に切込んで爪片８０と直交する方向に張り出す片持ち状の爪片８２の先端に突設されている。この爪部７８には、頂部から爪片８２の基端側へ傾斜するテーパー面７８Ａと、頂部から爪片８２の自由端側へ傾斜するテーパー面７８Ｂが形成されており、突片７４がどちら側からも爪部７８に乗り上げることができるようになっている。
【００３２】
さらに、ケース２０の底板４０とカバー２２の裏面には、アーム３４のフック部３８の回動軌跡に沿って円弧状に延設したガイド壁８６、８８が突設されている。このガイド壁８６、８８は、フック部３８の両面を摺動可能に挟持し、フック部３８をスリット口３２のセンターに案内するようになっている。
【００３３】
なお、図４に示すように、ケース２０とカバー２２は、ケース２０の側板から突設された爪９０をへ、カバー２２から張り出した弾性片９２に形成された矩形状の係止口９４へ嵌め込むことによって、ワンタッチで組付けることができるようになっている。
【００３４】
一方、図３及び図４に示すように、縦框１２の内側面及び外側面には、円孔９６、９８が穿設されている。円孔９６からは、操作ノブ６８の胴部７０が挿通され、スペーサー４４の長孔６４及びアーム３４の基部５０の長孔６６へ挿入される。
【００３５】
この胴部７０は、円筒の円弧部をカットした略楕円形状の筒体で、長孔６４、６６へ挿入されたとき、空回りしないようになっている。また、胴部７０の端部には、円孔９６より大径のフランジ部１００が形成されており、縦框１２の側面に当接するようになっている。このフランジ部１００の中央には、ノブ１０２が立設され、このノブ１０２を指で掴むことができるようになっている。
【００３６】
また、胴部７０のフラット面１０４には、矩形状の係止孔１０６が形成されており、この係止孔１０６の反対側のフラット面１０８の先端部には、キー溝１１０が形成されている。
【００３７】
一方、円孔９８からは、解除ボタン１１２の胴部１１４が挿通され、操作ノブ６８の胴部７０へ挿入される。胴部１１４は、円筒の円弧部をカットした略楕円形状の筒体で、フラット面１１６には、胴部１１４内へ弾性変形可能な係止爪１１８が形成されている。そして、解除ボタン１１２が操作ノブ６８の胴部７０へ挿入されたとき、この係止爪１１８が胴部７０の係止孔１０６に係止され、解除ボタン１１２と操作ノブ６８が係合される。
【００３８】
また、胴部１１４の端部には、円形のフランジ１２２が設けられており、取付孔９８へ回転可能に嵌まり込み、解除ボタン１１２の振れを抑えるようになっている。このフランジ１２２から胴部１１４の先端に向かってキー１２４が延設されており、解除ボタン１１２と操作ノブ６８が係合したとき、このキー１２４が操作ノブ６８のキー溝１１０と係合する。
【００３９】
さらに、フランジ１２２の頂面には、取付孔９８より大径の頭部１２６が設けられており、縦框１２の側面に当接するようになっている。この頭部１２６は所定の肉厚を有しており、外周面に円周方向に沿って溝１２８が形成され、縦框１２の側面との間に、マイナスドライバーの先端が挿入可能な隙間を構成している。また、頭部１２６の頂面には、マイナス溝１２９が形成され、コイン等で解除ボタン１１２を回転させることができるようになっている。
【００４０】
次に、本形態に係るロック装置の作用を説明する。
アーム３４の基部５０をスペーサー４４で挟み、ケース２０及びカバー２２に回動可能に組付け、図４に示すようなユニットとする。このように、スペーサー４４でアーム３４の基部５０を両側から保持することで、アーム３４が回転軸の軸線方向へ振れることがなく、ロック時の強度も確保される。また、スペーサー４４は、共通部品とされているので、部品点数の削減を図ることができ、組付けも容易となる。
【００４１】
次に、縦框１２の取付口１８へハウジング２４を装填し、挟みナット３０を介してフランジ２８を側壁１６にねじ止めして縦框１２に固定する。
【００４２】
ここで、縦框１２の円孔９６から操作ノブ６８の胴部７０を挿通させ、スペーサー４４の長孔６４、アーム３４の基部５０の長孔６６、及びスペーサー４４の長孔６４へと挿入する。この胴部７０は、スペーサー４４の長孔６４、アーム３４の基部５０の長孔６６に対して空回りできない形状となっているので、ノブ１０２を指で摘んで回転させることによって、アーム３４がスペーサー４４と一体となって回動する。
【００４３】
次に、縦框１２の円孔９８から解除ボタン１１２の胴部１１４を挿通させ、操作ノブ６８の胴部７０へ挿入する。これによって、解除ボタン１１２の爪１１８が操作ノブ６８の係止孔１０６に係止され、かつ、キー１２４がキー溝１１０と係合する。このため、操作ノブ６８は、縦框１２から抜け落ちることがなくなり、また、解除ボタン１１２は、操作ノブ６８と一体となって回転する。
【００４４】
ここで、取付位置を間違えた場合には、解除ボタン１１２の頭部１２６に形成された溝１２８へマイナスドライバーを差し込んでこじれば、解除ボタン１１２を操作ノブ６８から引き抜くことができる。
【００４５】
このように組付けられたロック装置１１では、引き戸１０を閉じてノブ１０２をロック側へ回せば、ガイド壁８６、８８にアーム３４のフック部３８が摺動しながら回動し、錠受け７２へ掛止される。このとき、ガイド壁８６、８８によって、フック部３８は、スリット口３２のセンターに案内されるので、錠受け７２へスムーズに掛止される。
【００４６】
また、図７に示すように、アーム３４の突片７４が爪部７６のテーパー面７６Ａを乗り越えるときにクリック感を得ることができるので、ロック位置を確認できる。また、フック部３８が錠受け７２に掛止された状態において、突片７４が爪部７６に係止されるので、引き戸１０が振動しても、ロック状態が解除されるということがない。
【００４７】
一方、引き戸１０のロック状態を解除するときは、ノブ１０２をロック解除方向へ回転させると、図６に示すように、フック部３８が回動して錠受け７２から離れ、ハウジング２４に収納される。この一連の動作においても、突片７４が爪部７８のテーパー面７８Ａを乗り越えるときにクリック感を得ることができるので、フック部３８がハウジング２４に収納されたか否かを確認できる。また、突片７４が爪部７８に係止されるので、フック部３８がスリット口３２から不用意に突出するということがない。
【００４８】
さらに、縦框１２の溝壁３６によって構成されるほぞの深さは、アーム３４が突出しない大きさとされているので、引き戸１０を開いた状態で、操作ノブ６８をロック方向へ回しても、アーム３４がほぞから突出しなので、衣服等を引っ掛けることがなく、安全である。
【００４９】
なお、本形態では、ロック装置が引き戸に使用された場合について説明したが、開き扉にも適用できることは無論である。
【００５０】
【発明の効果】
本発明は上記構成としたので、錠受けに掛止されるフック部がガタ付くことなく、また、扉のロック或いはロック解除の確認が容易にできる。さらに、アームが回動軸の軸方向へ振れることがなく、フック部に衣服等を引っ掛けることもない。また、ロック装置の取替作業が容易にできる。
【図面の簡単な説明】
【図１】本形態に係るロック装置が取付けられた引き戸と竪枠との関係を示した斜視図である。
【図２】本形態に係るロック装置が取付けられた引き戸と竪枠との関係を示した斜視図である。
【図３】本形態に係るロック装置の分解斜視図である。
【図４】本形態に係るロック装置の組付け状態を示した斜視図である。
【図５】本形態に係るロック装置が縦框に取付けられロックした状態を示す横断面図である。
【図６】本形態に係るロック装置が縦框に取付けられロック解除された状態を示す縦断面図である。
【図７】本形態に係るロック装置が縦框に取付けられロックした状態を示す縦断面図である。
【図８】従来のロック装置が取付けられた引き戸と竪枠との関係を示した断面図である。
【符号の説明】
２４    ハウジング
３４    アーム
３６    溝壁（第２ほぞ）
３７    溝壁（第１ほぞ）
３８    フック部
４４    スペーサー（保持部材）
６８    操作ノブ
７２    錠受け
７４    突片
７６    爪部（係止手段）
７８    爪部（係止手段）
８６    ガイド壁
８８    ガイド壁
１１２  解除ボタン
１２６  頭部
１２８  溝
【図１】
0003763898.tif 000002
【図２】
0003763898.tif 000003
【図３】
0003763898.tif 000004
【図４】
0003763898.tif 000005
【図５】
0003763898.tif 000006
【図６】
0003763898.tif 000007
【図７】
0003763898.tif 000008
【図８】
0003763898.tif 000009